(57)【特許請求の範囲】
【請求項１】
作業部と、前記作業部を駆動する駆動源と、使用者が使用時に把持する把持部が設けられ前記駆動源の出力を調整する出力調整手段と、を有する手持ち式作業機において、
前記出力調整手段は、
前記把持部が設けられた装置本体と、
一端側が前記装置本体に回動自在に支持されるとともに、他端側が前記把持部から離れる回動方向に付勢され、前記把持部を把持した手で他端側を前記把持部側に移動させる操作を行うことで、一端側に接続されたスロットルワイヤを介して前記駆動源の出力を任意に調整可能な第１レバーと、
前記把持部と前記第１レバーの間において前記把持部と前記第１レバーの間に配置され、一端側が前記装置本体に回動自在に支持されるとともに、他端側が前記把持部から離れる回動方向に付勢され、前記把持部を把持した手で他端側を前記把持部側に移動させる操作によって前記第１レバーを移動させることにより、前記スロットルワイヤを介して前記駆動源の出力を調整可能な第２レバーと、
出力調整操作部を有し、前記第２レバーを前記把持部側に最大限移動させた状態における前記駆動源の出力を、前記出力調整操作部の操作で前記第１レバーと前記第２レバーとの距離を変更することによって任意に調整する出力調整機構と、を備え、
前記出力調整操作部は、前記把持部と前記第１レバーとの間で前記第２レバーと一体的に設けられ、前記第２レバーを前記把持部側に最大限移動させた状態で、前記把持部を把持した手によって操作可能である
ことを特徴とする手持ち式作業機。
【請求項２】
前記第１レバーの回動軸は前記第２レバー上に配置され、
前記第２レバーの回動軸は前記装置本体に配置されている
ことを特徴とする請求項１に記載の手持ち式作業機。
【請求項３】
前記把持部は使用者の一方の手によって把持されるものであり、
前記把持部には、前記把持部の周方向に沿って外側に延びる鍔部が、前記把持部を把持した手の親指が隣接する部分を除いて設けられ、
前記親指が隣接する部分には、切欠き面が設けられている
ことを特徴とする請求項１または２に記載の手持ち式作業機。
【請求項４】
前記把持部の前記鍔部よりも軸方向一端側、且つ、前記把持部の切欠き面側には、前記切欠き面よりも張り出す張出部が設けられ、
前記張出部には、前記駆動源の駆動停止ボタンが設けられている
ことを特徴とする請求項３に記載の手持ち式作業機。
【請求項５】
前記駆動源がエンジンの場合において、前記エンジンに設けられたスロットルバルブの弁開度をハーフスロットルの状態でロックするハーフロック機構を備え、
前記ハーフロック機構を操作するロックレバーは、前記張出部と前記第２レバーとの間の前記張出部に隣接する位置に設けられている
ことを特徴とする請求項４に記載の手持ち式作業機。
【請求項６】
前記ロックレバーは、
一端側が前記装置本体に回動自在に支持されるとともに、他端側がハーフスロットルでのロック状態を解除する回動方向に付勢されており、
他端側を前記第２レバー側に向けた状態から前記張出部側へ、前記把持部の一端側の方向を通るように回動させることでロック状態となる
ことを特徴とする請求項５に記載の手持ち式作業機。
【請求項７】
前記駆動停止ボタンの配線の通路を、前記張出部から第２レバーに向かって外側に張り出すように形成した
ことを特徴とする請求項５または６のいずれかに記載の手持ち式作業機。
【発明の詳細な説明】
【技術分野】
【０００１】
本発明は、例えば刈払機、チェーンソー、パワーブロワ等の手持ち式の作業機に関するものである。
【背景技術】
【０００２】
従来、この種の手持ち式作業機としては、例えば、作業時におけるエンジンの出力を調整するためのスロットルレバーが任意の位置に固定可能な固定式の出力調整手段を備えたものが知られている。固定式の出力調整手段を備えた手持ち式作業機では、スロットルレバーが任意の位置で固定されるため、一定の出力を保持しながら作業を行うことができるという利点がある。しかし、固定式の出力調整手段では、作業中に手持ち式作業機から手を離しても、エンジンをアイドル運転の状態に戻すスロットルレバーの操作を行わない限り、一定の出力でエンジンの運転が継続されるため、安全性の確保が不十分となるおそれがある。
【０００３】
一方、前記手持ち式作業機とは別の種類の出力調整手段として、使用者がスロットルレバーを操作している間のみエンジンの出力が調整され、スロットルレバーから使用者が手を離すと、エンジンがアイドル運転の状態となるトリガ式の出力調整手段が知られている。トリガ式の出力調整手段では、使用者がスロットルレバーから手を離すと、エンジンがアイドル運転の状態となることから安全性が高い。しかし、トリガ式の出力調整手段では、アイドル運転の状態と最大出力の運転との間の所謂ハーフスロットルでエンジンを運転したい場合に、スロットルレバーが固定されないため、エンジンの出力を一定に保持することが困難である。このため、トリガ式の出力調整手段を備えた手持ち式作業機では、使用者が最大出力でエンジンの運転を行うことになり、必要以上に騒音や振動が発生し、燃料の消費量が増加するという問題点がある。
【０００４】
そこで、前記問題点を解消可能な出力調整手段として、使用者が使用時に把持する把持部と、一端側が把持部に回動自在に支持され、把持部を把持した手の指で他端側を把持部側に移動させる操作を行うことでエンジンの出力を調整可能な第１スロットルレバーと、把持部と前記第１スロットルレバーとの間において一端側が把持部に回動自在に支持され、把持部を把持した手の指で他端側をグリップ側に移動させる操作を行うことでエンジンの出力を調整可能な第２スロットルレバーと、第２スロットルレバーを把持部側に最大限移動させた状態におけるエンジンの出力を調整する出力調整機構と、を備えたものが知られている（例えば、特許文献１参照）。この出力調整手段では、使用者が、第２スロットルレバーを把持部側に最大限移動させる操作を継続することによっても、エンジンを最大出力で運転させることなく、エンジンを最大出力より小さい所定の出力を保持しながら作業を行うことができる。これにより、この出力調整手段を備えた手持ち式作業機では、必要以上の騒音や振動の発生を防止し、燃料の消費量の低減を図ることが可能となる。
【先行技術文献】
【特許文献】
【０００５】
【特許文献１】特開２００５−２２６４７７号公報
【発明の概要】
【発明が解決しようとする課題】
【０００６】
前記問題点を解消可能な手持ち式作業機では、出力調整機構によって第１スロットルレバーに対する第２スロットルレバーの位置を調整することにより、第２スロットルレバーを把持部側に最大限移動させた状態におけるエンジンの出力を調整している。この出力調整手段では、第１スロットルレバーと第２スロットルレバーとを連結するネジ状の調整ツマミが第１スロットルレバーの外側に設けられている。このため、手持ち式作業機を把持した使用者は、第２スロットルレバーの操作によるエンジンの出力の調整を行うために、少なくとも一方の手を把持部から離して調整ツマミを操作しなければならず、操作性を向上させることが困難であり、作業効率の向上を図ることができていない。
【０００７】
本発明の目的とするところは、把持部を把持している手を離すことなく、出力調整機構の操作が可能であり、作業効率を向上させることのできる手持ち式作業機を提供することにある。
【課題を解決するための手段】
【０００８】
本発明は、前記目的を達成するために、作業部と、前記作業部を駆動する駆動源と、使用者が使用時に把持する把持部が設けられ前記駆動源の出力を調整する出力調整手段と、を有する手持ち式作業機において、前記出力調整手段は、前記把持部が設けられた装置本体と、一端側が前記装置本体に回動自在に支持されるとともに、他端側が前記把持部から離れる回動方向に付勢され、前記把持部を把持した手で他端側を前記把持部側に移動させる操作を行うことで、一端側に接続されたスロットルワイヤを介して前記駆動源の出力を任意に調整可能な第１レバーと、前記把持部と前記第１レバーの間において前記把持部と前記第１レバーの間に配置され、一端側が前記装置本体に回動自在に支持されるとともに、他端側が前記把持部から離れる回動方向に付勢され、前記把持部を把持した手で他端側を前記把持部側に移動させる操作によって前記第１レバーを移動させることにより、前記スロットルワイヤを介して前記駆動源の出力を調整可能な第２レバーと、出力調整操作部を有し、前記第２レバーを前記把持部側に最大限移動させた状態における前記駆動源の出力を、前記出力調整操作部の操作で前記第１レバーと前記第２レバーとの距離を変更することによって任意に調整する出力調整機構と、を備え、前記出力調整操作部は、前記把持部と前記第１レバーとの間で前記第２レバーと一体的に設けられ、前記第２レバーを前記把持部側に最大限移動させた状態で、前記把持部を把持した手によって操作可能であることを特徴とする。
【０００９】
これにより、把持部を把持した状態の手の指で出力調整操作部が操作可能となることから、手持ち式作業機を把持した使用者が把持部から手を離すことなく、出力調整機構の調整が可能となる。
【発明の効果】
【００１０】
本発明によれば、手持ち式作業機を把持した使用者が把持部から手を離すことなく、出力調整機構の調整を行うことができるので、作業効率を向上させることが可能となる。
【図面の簡単な説明】
【００１１】
【図１】本発明の一実施形態を示す出力調整装置を備えた刈払機の斜視図である。
【図２】出力調整装置の側面図である。
【図３】出力調整装置の正面図である。
【図４】出力調整装置の背面図である。
【図５】第２スロットルレバーの操作によるエンジンの出力を調整する方法を示す出力調整装置の側面断面図である。
【図６】第１スロットルレバーの操作によるエンジンの出力を調整する方法を示す出力調整装置の断面図である。
【図７】第１スロットルレバーおよび第２スロットルレバーをそれぞれ最大限に操作した状態を示す出力調整装置の断面図である。
【図８】（ａ）ロックレバーの操作を示す出力調整装置の側面図、（ｂ）ロックレバーの操作を示す出力調整装置の断面図である。
【図９】（ａ）ロックレバーの操作を示す出力調整装置の側面図、（ｂ）ロックレバーの操作を示す出力調整装置の断面図である。
【発明を実施するための形態】
【００１２】
図１乃至図９は、本発明の一実施形態を示すものである。
本実施形態では、本発明の手持ち式作業機の一例として、エンジン駆動の刈払機について説明する。
【００１３】
この刈払機１は、図１に示すように、前後方向に延びる操作杆２と、操作杆２の後端側に接続された駆動源としてのエンジン３と、操作杆２の前端側にギヤヘッド４を介して回動自在に取り付けられた円板状の刈刃５と、を備えている。
【００１４】
操作杆２は、内部にドライブシャフト（図示せず）が回動自在に設けられている。ドライブシャフトの後端側には、エンジン３が連結されている。また、ドライブシャフトの前端側には、ギヤヘッド４が連結されている。
【００１５】
また、操作杆２の中央部のやや後端側には、使用者が刈払機１を保持して操作するためのハンドル６が設けられている。ハンドル６は、管状の部材からなり、操作杆２から幅方向両側に延びるとともに、両端部が上方に向くように湾曲形成されている。ハンドル６の両端部には、使用者が左右それぞれの手で把持されるグリップ７Ｌ，７Ｒが設けられている。また、右側のグリップ７Ｒには、使用者が把持しながらエンジン３の出力を調整するための出力調整手段としての出力調整装置１００が設けられている。エンジン３は、エンジン３に設けられたスロットルバルブ（図示せず）の弁開度を調整することによって出力が調整される。
【００１６】
出力調整装置１００は、図２乃至図４に示すように、使用者が右手で把持する装置本体１１０と、エンジン３の出力を最大とする操作が可能な第１レバーとしての第１スロットルレバー１２０と、装置本体１１０と第１スロットルレバー１２０との間に設けられ、エンジン３の出力を最大より小さい所定の出力とする操作が可能な第２レバーとしての第２スロットルレバー１３０と、エンジン３の第２スロットルレバー１３０の操作による最大出力を調整するための出力調整機構１４０と、エンジン３を強制的に停止させるためのストップスイッチ１５０と、第１スロットルレバー１２０および第２スロットルレバー１３０を所定の操作位置で固定するためのハーフロック機構１６０と、を備えている。
【００１７】
装置本体１１０は、ハンドル６の端部に沿って上下方向に延びる中空略円筒状に形成されるとともに、上部側が前方に張り出している。装置本体１１０の下部側には、グリップ７Ｒとして使用者の右手で把持される把持部１１１が設けられている。把持部１１１の上部には、周方向に沿って径方向外側に延びる鍔部１１１ａが、前記把持部１１１を把持した手の親指が隣接する部分を除いて設けられている。また、把持部１１１を把持した手の親指が隣接する部分には、把持部１１１を把持した状態の使用者の手の親指が把持部１１１の上部側を移動可能なように、切欠き面１１１ｂが設けられている。また、装置本体１１０の上部側には、第１スロットルレバー１２０および第２スロットルレバー１３０が支持されるとともに、ストップスイッチ１５０およびハーフロック機構１６０が配置されている。また、装置本体１１０には、スロットルバルブの弁開度を調整するためのスロットルワイヤ８が接続されている。スロットルワイヤ８は、図５に示すように、装置本体１１０の下端側から装置本体１１０内に通されており、アウタ８ａの端部が把持部１１１の内側に固定され、インナ８ｂの端部が第１スロットルレバー１２０に接続されている。
【００１８】
第１スロットルレバー１２０は、装置本体１１０の前方を上下方向に延びるように設けられ、図５に示すように、上端側が第２スロットルレバー１３０の上端側に支軸１２１を介して所定範囲内で回動自在に支持されている。第１スロットルレバー１２０は、支軸１２１にねじりばね１２２が巻き回されており、第２スロットルレバー１３０に対して下端側が前方に向かって回動する方向に付勢されている。第１スロットルレバー１２０は、把持部１１１を把持した使用者の手の人差し指により下端側を把持部１１１側に移動させる方向に操作される。第１スロットルレバー１２０は、上端側の端部にスロットルワイヤ８のインナ８ｂの端部が接続されている。第１スロットルレバー１２０は、下端側を最大限に第２スロットルレバー１３０側に移動させる方向に回動させると第２スロットルレバー１３０と重ね合わされた状態となる。
【００１９】
第２スロットルレバー１３０は、装置本体１１０と第１スロットルレバー１２０との間を上下方向に延びるように設けられ、図５に示すように、上端側の端部が装置本体１１０に支軸１３１を介して所定範囲内で回動自在に支持されている。第２スロットルレバー１３０は、支軸１３１にねじりばね１３２が巻き回されており、装置本体１１０に対して下端側が前方に向かって回動する方向に付勢されている。第２スロットルレバー１３０は、把持部１１１を把持する使用者の手の指により下端側を把持部１１１側に移動させる方向に操作される。第２スロットルレバー１３０は、下端側を最大限に把持部１１１側に移動させる方向に回動させた状態で下端側が把持部１１１に沿って延びるように形成され、把持部１１１および第２スロットルレバー１３０をまとめて手で握ることが可能に構成されている。
【００２０】
出力調整機構１４０は、図５に示すように、第１スロットルレバー１２０と第２スロットルレバー１３０とを互いの距離を可変に連結するものである。出力調整機構１４０は、第１スロットルレバー１２０に設けられた前後方向に延びる貫通孔１２３および第２スロットルレバー１３０に設けられた前後方向に延びる貫通孔１３３に貫通孔１２３の前方から挿通された調整ボルト１４１と、第２スロットルレバー１３０に対して回動自在に設けられた出力調整操作部としての調整ツマミ１４２と、を有している。調整ツマミ１４２は、外周面に指で操作する際の滑り止めとなる凹凸が形成され、内周面に雌ねじが切られた筒状の部材であり、調整ボルト１４１に設けられた雄ネジに螺合した状態で第２スロットルレバー１３０に支持されている。調整ツマミ１４２は、第２スロットルレバー１３０の幅方向両側に露出しており、第２スロットルレバー１３０の幅方向一方または両方から操作が可能である。
【００２１】
ストップスイッチ１５０は、エンジン３の運転中に操作されると、例えばイグニッションコイルへの電力の供給を遮断し、エンジン３を停止させるものである。ストップスイッチ１５０は、図２および図４に示すように、装置本体１１０の把持部１１１の上方で、且つ、装置本体１１０の左面の後側から左方向に張り出す張出部１１２に設けられている。ストップスイッチ１５０は、押しボタン式のスイッチであり、押圧する面が後方に向けて配置されている。ストップスイッチ１５０は、把持部１１１を把持した状態の使用者の手の親指を上方に移動させることにより操作可能である。また、張出部１１２の下面側には、第２スロットルレバー１３０側に向かって外側に張り出すように形成された配線通路１１３が設けられ、ストップスイッチ１５０の配線が通されている。
【００２２】
ハーフロック機構１６０は、図２に示すように、把持部１１１の上方で、且つ、装置本体１１０の左面側に設けられている。ハーフロック機構１６０は、図８および図９に示すように、装置本体１１０の外面に設けられて一端側が装置本体１１０に回動自在に支持されたロックレバー１６１と、装置本体１１０の内部に設けられてロックレバー１６１の回動軸に連結されたロック部材１６２と、ロックレバー１６１およびロック部材１６２をハーフロックの状態から解除する方向に付勢するねじりばね１６３と、を有している。ロックレバー１６１は、他端側が回動中心から径方向外側に延びる部材である。ロックレバー１６１は、図８（ａ）に示すように他端部が前方に向いたロック解除状態と、図９（ａ）に示すように上方に向いたハーフロック状態との間で、回動自在に設けられている。ロック部材１６２は、中心にロックレバー１６１の回動軸が連結された円板状部材であり、第１スロットルレバー１２０の上端部に設けられた当接面１２４が当接する当接片１６２ａが外周部から回動軸の延びる方向に延出している。ねじりばね１６３は、ロック部材１６２に巻き回されており、ロック部材１６２がハーフロックの状態を解除する回動方向にロックレバー１６１およびロック部材１６２を付勢している。
【００２３】
以上のように構成された手持ち式作業機において、刈払機１による作業を行う際の通常の出力調整装置１００の操作方法を説明する。
【００２４】
まず、通常の作業では、エンジン３がアイドル運転の状態において、図５の矢印の方向に、第２スロットルレバー１３０を把持部１１１側に移動させる操作を行い、第２スロットルレバー１３０を最大限に把持部１１１側に移動させる。ここで、第１スロットルレバー１２０と第２スロットルレバー１３０とは出力調整機構１４０の調整ボルト１４１によって連結されているため、第２スロットルレバー１３０と共に第１スロットルレバー１２０も把持部１１１側に移動する。これにより、第１スロットルレバー１２０の上端側の端部に接続されたスロットルワイヤ８のインナ８ｂは、アウタ８ａに対して上方に引き出される。このとき、スロットルワイヤ８は、第２スロットルレバー１３０と共に移動する第１スロットルレバー１２０の操作量に対応した操作量となり、スロットルワイヤ８の操作量に応じたエンジン３の出力となる。
【００２５】
また、第２スロットルレバー１３０の操作による刈払機１の作業時において、密集した草木を刈払うときなど、刈刃５に加わる負荷が大きくなる場合には、第２スロットルレバー１３０を把持部１１１とまとめて握ったまま、図６の矢印の方向に第１スロットルレバー１２０を把持部１１１側に移動させる操作を行う。これにより、第１スロットルレバー１２０の上端側の端部に接続されたスロットルワイヤ８のインナ８ｂは、さらにアウタ８ａに対して上方に引き出される。第１スロットルレバー１２０を最大限に把持部１１１側に移動させると、図７に示すように、スロットルワイヤ８は操作量が最大となり、エンジン３の出力が最大となる。
【００２６】
ここで、エンジン３の第２スロットルレバー１３０の操作による最大出力を調整する場合には、出力調整機構１４０の調整ツマミ１４２を回動させる操作を行う。調整ツマミ１４２に対して調整ボルト１４１の頭部が遠ざかる方向に調整ボルト１４１を移動させると、第１スロットルレバー１２０がねじりばね１２２の付勢力によって把持部１１１側から遠ざかる方向に移動する。これにより、スロットルワイヤ８は、アウタ８ａに対してインナ８ｂが下方に戻され、エンジン３の出力が低下する。また、調整ツマミ１４２に対して調整ボルト１４１を調整ボルト１４１の頭部が近接する方向に移動させると、第１スロットルレバー１２０がねじりばね１２２の付勢力に抗して把持部１１１側に近接する方向に移動する。これにより、スロットルワイヤ８は、アウタ８ａに対してインナ８ｂが上方に引き出され、エンジン３の出力が大きくなる。
【００２７】
出力調整機構１４０の調整ツマミ１４２は、第１スロットルレバー１２０と第２スロットルレバー１３０との間に配置されている。また、把持部１１１および第２スロットルレバー１３０をまとめて握った状態で、使用者の手の親指または、および人差し指によって、調整ツマミ１４２が操作可能な位置に配置されている。これにより、調整ツマミ１４２は、使用者が刈払機１から手を離すことなく、さらに、把持部１１１を把持した手を持ち替えることなく操作できる。
【００２８】
また、ハーフロック機構１６０を操作することで、スロットルバルブの弁開度をアイドル運転状態よりも開放し、エンジン３の始動を容易に行うことができる。
【００２９】
ハーフロックの状態とするロックレバー１６１の操作を行う場合には、図８に示すように、第２スロットルレバー１３０を把持部１１１側に所定量操作した状態で、ロックレバー１６１を端部が上方に向くように回動させる。その後、ロックレバー１６１の端部を上方に向けた状態で、第２スロットルレバー１３０から手を離す。このとき、ロック部材１６２の当接片１６２ａは、上部側に位置しており、第２スロットルレバー１３０から手を離すとハーフロック機構１６０のねじりばね１６３および第２スロットルレバー１３０のねじりばね１３２の付勢力によって、第１スロットルレバー１２０の当接面１２４が当接した状態が保持される。これにより、図９に示すように、第１スロットルレバー１２０および第２スロットルレバー１３０がハーフロックの状態となる。
【００３０】
ハーフロックの状態を解除する場合には、図９の矢印に示すように、第１スロットルレバー１２０または第２スロットルレバー１３０を把持部１１１側に移動させる。これにより、ロック部材１６２の当接片１６２ａと第１スロットルレバー１２０の当接面１２４との当接が解除され、ロックレバー１６１は、ねじりばね１６３の付勢力によってロック部材１６２の当接片１６２ａが前方に移動する方向に回動し、ハーフロックの状態が解除される。
【００３１】
このように、本実施形態の手持ち式作業機では、出力調整機構１４０の調整ツマミ１４２を第１スロットルレバー１２０と把持部１１１との間に設けている。これにより、把持部１１１を把持した状態の手の指で調整ツマミ１４２を操作することができることから、出力調整機構１４０は、刈払機１を把持した使用者が把持部１１１から手を離すことなく調整ツマミ１４２を調整することができる。したがって、刈払機１による作業の作業効率を向上させることが可能となる。
【００３２】
また、調整ツマミ１４２は、第２スロットルレバー１３０の下端側を把持部１１１側に最大限移動させた状態で、把持部１１１把持した手によって操作可能である。これにより、第２スロットルレバー１３０の操作による作業を行いながら、行う作業に合わせてエンジン３の出力を調整することができ、刈払機１による作業の作業効率を向上させることが可能となる。
【００３３】
また、把持部１１１の上部側に周方向に沿って外側に延びる鍔部１１１ａが、把持部１１１を把持した手の親指が隣接する部分を除いて設けられ、把持部１１１を把持した手の親指が隣接する部分には、切欠き面１１１ｂが設けられている。これにより、把持部１１１を把持した状態の手の親指を把持部１１１の上方に容易に移動させることが可能となるため、把持部１１１を把持した状態の手の親指による調整ツマミ１４２の操作がより容易となり、出力調整機構１４０の調整作業がより容易となる。
【００３４】
また、ストップスイッチ１５０が、装置本体１１０の把持部１１１の上方で、且つ、装置本体１１０の左面の後側から左方向に張り出す張出部１１２に設けられている。これにより、作業中に誤ってストップスイッチ１５０を操作する誤操作を低減することが可能となる。
【００３５】
また、ハーフロック機構１６０のロックレバー１６１が、装置本体１１０の把持部１１１の上方で、且つ、張出部１１２と第２スロットルレバー１３０との間の張出部１１２に隣接する位置に設けられている。これにより、ロックレバー１６１が張出部１１２の前方に隣接して位置することから、把持部１１１を把持した手の親指がロックレバー１６１に到達し難くすることができるので、作業中に誤ってロックレバー１６１を操作することがなくなる。そのため、ハーフロック機構１６０を始動装置としてのみ機能させることができるので、刈払機１の安全性を向上させることが可能となる。
【００３６】
また、ロックレバー１６１が、一端側が装置本体１１０に回動自在に支持され、他端側がねじりばね１６３によってロック状態を解除する回動方向に付勢されており、他端側を第２スロットルレバー１３０側に向けた状態から張出部１１２側へ、上方に向かうように回動させることでハーフロック状態となる。これにより、ロックレバー１６１の端部を親指から離れる方向に回動させる動作によってハーフロック状態となるので、作業中に誤ってハーフロック状態となる誤操作を低減することができる。
【００３７】
また、ストップスイッチ１５０の配線通路１１３が張出部１１２から第２スロットルレバー１３０に向かって外側に張り出すように形成されている。これにより、配線通路１１３が張出部１１２の下面に設けられた壁となるため、把持部１１１を把持した手の親指がよりロックレバー１６１に到達し難くなり、作業中に誤ってハーフロック状態となる誤操作を低減することができる。
【００３８】
尚、前記実施形態では、手持ち式作業機の一例として刈払機１に本発明を適用したものを示したが、これに限られるものではない。本発明が適用可能なその他の手持ち式作業機としては、チェーンソー、パワーブロワ等の手持ち式作業機に本発明を適用可能である。
【００３９】
また、前記実施形態では、出力を調整する駆動源としてエンジン３の出力を調整するものを示したが、これに限られるものではない。第１スロットルレバー１２０および第２スロットルレバー１３０によって出力が調整されるものであれば、駆動源が電動モータであっても本発明が適用可能である。
【符号の説明】
【００４０】
１…刈払機、３…エンジン、１００…出力調整装置、１１０…装置本体、１１１…把持部、１１２…張出部、１１３…配線通路、１１１ａ…鍔部、１１１ｂ…切欠き面、１２０…第１スロットルレバー、１２１…支軸、１３０…第２スロットルレバー、１３１…支軸、１４０…出力調整機構、１４２…調整ツマミ、１５０…ストップスイッチ、１６０…ハーフロック機構、１６１…ロックレバー。
【図１】
0005873667.tif 000002
【図２】
0005873667.tif 000003
【図３】
0005873667.tif 000004
【図４】
0005873667.tif 000005
【図５】
0005873667.tif 000006
【図６】
0005873667.tif 000007
【図７】
0005873667.tif 000008
【図８】
0005873667.tif 000009
【図９】
0005873667.tif 000010